(57)【要約】【課題】光カプラの限界基準電流を最適化する手段及び方法を提供すること。【解決手段】一実施形態において、装置は、電流最適化論理回路(214)、限界基準電流を生成するためのプログラマブル電流源(212)、及び電流プログラム論理回路(220)を有する。電流最適化論理回路(214)は、第１のＴＩＡ(202)によって受信された複数の入力パルスに応答し、(i)第１のＴＩＡ(202)の出力に関連する信号を(ii)前記第１のＴＩＡの出力と比較するための基準信号と比較した結果に応答して、一連のデジタル電流値を生成する。電流プログラム論理回路(220)は、所定の条件が満たされるまで、前記一連のデジタル電流値のうちの幾つかを使用して前記プログラマブル電流源(220)をプログラムした後、(ii)前記プログラマブル電流源(212)を前記デジタル電流値のうちの最新の値にロックする。第２のＴＩＡ(204)は、限界基準電流に応答して基準信号を生成する。【選択図】図２
2007134708.tif 000002
【特許請求の範囲】
【請求項１】
第１のトランスインピーダンス増幅器(TIA 202)によって受信された複数の入力パルスに応答し、(i)前記第１のＴＩＡ(202)の出力に関連する信号を(ii)前記第１のＴＩＡ(202)の出力と比較するための基準信号と比較した結果に応答して、一連のデジタル電流値を生成する電流最適化論理回路(214)と、
限界基準電流を生成するためのプログラマブル電流源(212)と、
所定の条件が満たされるまで、前記一連のデジタル電流値のうちの幾つかを使用して前記プログラマブル電流源(212)をプログラムした後、(ii)前記プログラマブル電流源(212)を前記デジタル電流値のうちの最新の値にロックする電流プログラム論理回路(220)と、
前記プログラマブル電流源(212)によって生成された前記限界基準電流に応答して、基準信号を生成する第２のＴＩＡ(204)と
を含む装置(200)。
【請求項２】
前記第１のＴＩＡ(202)はフィードバック抵抗器を含み、前記第１のＴＩＡ(202)の出力に関連する信号は、前記フィードバック抵抗器のタップから導出される信号である、請求項１に記載の装置(200)。
【請求項３】
前記電流最適化論理回路(214)は、
前記複数の入力パルスに応答して、(i)前記第１のＴＩＡ(202)の出力に関連する信号を(ii)前記基準信号と比較する第１の比較器(216)と、
前記第１のＴＩＡ(202)の出力パルスに応答してインクリメントされる第１のカウンタ(218)と
を含み、前記第１のカウンタ(218)の値から前記一連のデジタル電流値が生成される、請求項１に記載の装置(200)。
【請求項４】
前記第１のＴＩＡ(202)の出力に応答してインクリメントされる第２のカウンタ(226)を更に含み、前記所定の条件は前記第２のカウンタ(226)の所定のカウントである、請求項３に記載の装置(200)。
【請求項５】
(i)前記第１のＴＩＡ(202)の出力、及び(ii)前記基準信号を受信する第２の比較器(206)と、
前記第２の比較器(206)の出力が前記第１の比較器(216)の出力よりも早くデアサートされた場合に前記所定の条件を生成する論理回路(226)と
を更に含む、請求項３に記載の装置(200)。
【請求項６】
前記電流最適化論理回路(214)はカウンタ(218)を含み、前記所定の条件は、前記カウンタ(218)の所定のカウントであり、前記カウンタ(218)は、前記第１のＴＩＡ(202)の出力パルスに応答してインクリメントされる、１に記載の装置(200)。
【請求項７】
前記電流プログラム論理回路(220)は、前記プログラマブル電流源を固定するためのデジタル電流値を記憶するワンタイム・プログラマブル論理回路(224)を更に含む、請求項１、又は請求項３に記載の装置(200)。
【請求項８】
前記電流最適化論理回路(214)、前記プログラマブル電流源(212)、及び前記電流プログラム論理回路(220)を形成するための共通の半導体基板を更に含む、請求項１に記載の装置(200)。
【請求項９】
前記第１のＴＩＡ(202)の入力に接続されたフォトセンサ(208)を更に含む、請求項１に記載の装置(200)。
【請求項１０】
光カプラの限界基準電流を最適化する方法(100)であって、
前記光カプラのトランスインピーダンス増幅器（ＴＩＡ）によって受信されたｍ複数の入力パルスに応答し、(i)前記ＴＩＡの出力に関連する信号を(ii)前記ＴＩＡの出力と比較するための基準信号と比較した結果に応答して、一連のデジタル電流値を生成するステップ(102)と、
所定の条件が満たされるまで、前記デジタル電流値のうちの幾つかを使用して、限界基準電流を生成するプログラマブル電流源(212)をプログラムするステップ(104)と、
前記所定の条件が満たされた後、前記プログラマブル電流源(212)を前記デジタル電流値のうちの最新の値にロックするステップ(106)と、
前記プログラマブル電流源(212)によって生成された前記限界基準電流に応答して、基準信号を生成するステップ(108)と
からなる方法。
【発明の詳細な説明】
【技術分野】
【０００１】
本発明は最適化された限界基準電流を生成する方法及び装置に関する。
【背景技術】
【０００２】
光カプラの性能は、プロセスやアセンブリの変動に大きく左右される。プロセスやアセンブリの変動による影響を受ける光カプラの性能の一例は、光カプラの限界基準電流である。
【０００３】
しばしば、製造業者は、光カプラのプロセスやアセンブリの特性を注意深く調整することにより（例えば、プロセスパラメータやアセンブリパラメータを仕様内に確実に維持することにより）、光カプラの限界基準電流の調整を試みる場合がある。
【発明の開示】
【発明が解決しようとする課題】
【０００４】
代替として、又は、追加として、ウェハ選別段階で、光カプラの限界基準電流を調整する場合がある。しかしながら、ウェハ選別段階での調整は、ウェハ選別段階の後に行われるプロセスやアセンブリ工程（例えば、パッケージング段階でのプロセスやアセンブリ工程）を考慮しない。そのため、ウェーハ選別段階での限界基準電流の調整は、特定用途に限定される可能性がある。
【課題を解決するための手段】
【０００５】
一実施形態において、本装置は、電流最適化論理回路、限界基準電流を生成するためのプログラマブル電流源、及び電流プログラム論理回路を含む。電流最適化論理回路は、第１のトランスインピーダンス増幅器（ＴＩＡ）によって受信された複数の入力パルスに応答し、(i)第１のＴＩＡの出力に関連する信号を(ii)前記第１のＴＩＡの出力と比較するための基準信号と比較した結果に応答して、一連のデジタル電流値を生成する。電流プログラム論理回路は、(i)所定の条件が満たされるまで、前記一連のデジタル電流値のうちの幾つかを使用して前記プログラマブル電流源をプログラムし、(ii)前記プログラマブル電流源を前記複数のデジタル電流値のうちの最新の値にロックする。第２のＴＩＡは、前記プログラマブル電流源によって生成された限界基準電流に応答して、基準信号を生成する。
【０００６】
他の実施形態において、組み立て後の光カプラの限界基準電流を最適化する方法は、前記光カプラのＴＩＡによって生成された複数の入力パルスに応答して、(i)前記ＴＩＡの出力に関連する信号を(ii)前記ＴＩＡの出力と比較するための基準信号と比較した結果に応答して、一連のデジタル電流値を生成することを含む。プログラマブル電流源は、所定の条件が満たされるまで、前記一連のデジタル電流値のうちの幾つかを使用してプログラムされ、前記プログラマブル電流源は限界基準電流を生成する。前記所定の条件が満たされると、プログラマブル電流源は、前記デジタル電流値のうちの最新の値に固定される。基準信号は、プログラマブル電流源によって生成された限界基準電流に応答して生成される。
【０００７】
他の実施形態も開示する。
【０００８】
本発明の例示的実施形態を図面に示す。
【発明を実施するための最良の形態】
【０００９】
光カプラの限界基準電流を最適化する既存の方法の制限に鑑みて、図１は、光カプラの限界基準電流を最適化するための新たな方法１００を示している。一態様において、本方法１００は、全ての光カプラのプロセス変動やアセンブリ変動に関連して、光カプラの限界基準電流の最適化が可能であるという点で有利である。つまり、方法１００は、組み立て後の光カプラに使用することができる。
【００１０】
方法１００はステップ１０２から開始される。光カプラのトランスインピーダンス増幅器（ＴＩＡ）によって受信された複数の入力パルスに応答し、(i)前記ＴＩＡの出力に関連する信号を(ii)前記ＴＩＡの出力と比較するための基準信号と比較した結果に応答して、一連のデジタル電流値を生成する（１０２）。所定の条件が満たされるまで、前記一連のデジタル電流値のうちの幾つかを使用してプログラマブル電流源をプログラムする（１０４）。前記所定の条件が満たされると、前記プログラマブル電流源は前記デジタル電流値のうちの最新の値に固定される。
【００１１】
プログラマブル電流源がプログラムされると、プログラマブル電流源は限界基準電流を生成する。この限界基準電流に応答して、前記ＴＩＡの出力と比較するための基準信号が生成される（１０８）。
【００１２】
一実施形態において、方法１００は、図２に示す回路２００を使用して実施される。例えば、回路２００は、第１のＴＩＡ２０２、及び第２のＴＩＡ２０４を含み、それらの出力（ＴＩＡ＿ＯＵＴ、及びＲＥＦ＿ＴＩＡ＿ＯＵＴ）は比較器２０６に結合される。第２のＴＩＡ２０４の出力（ＲＥＦ＿ＴＩＡ＿ＯＵＴ）は、回路２００の通常動作中に第１のＴＩＡ２０２の出力（ＴＩＡ＿ＯＵＴ）と比較するための基準信号として機能する。
【００１３】
第１のＴＩＡ２０２の入力はフォトダイオードのようなフォトセンサ２０８に接続される。第２のＴＩＡ２０４の入力は、基準電流（Ｉ）を受信するように接続される。図示のように、基準電流（Ｉ）は、第１の限界基準電流と第２の限界基準電流（Ｉ１、Ｉ２）の組み合わせから形成され、第１の限界基準電流（Ｉ１）は、固定の「基準」電流源２１０によって生成され、第２の限界基準電流（Ｉ２）は、プログラマブル電流源２１２によって生成される。第１のＴＩＡ２０２と第２のＴＩＡ２０４は、同じ構成であることが望ましい。
【００１４】
第１のＴＩＡ２０２の出力（ＴＩＡ＿ＯＵＴ）に関連する信号、並びに、基準信号（ＲＥＦ＿ＴＩＡ＿ＯＵＴ）は、電流最適化論理回路２１４によって受信される。一実施形態において、第１のＴＩＡ２０２の出力に関連する信号は、第１のＴＩＡ２０２のフィードバック抵抗器（Ｒ１）のタップから導出される信号（すなわち、ｂ＊（ＴＩＡ＿ＯＵＴ）；０＜ｂ＜１）である。定数「ｂ」は、ｂ＊（ＴＩＡ＿ＯＵＴ）がＲＥＦ＿ＴＩＡ＿ＯＵＴの所望の値に等しくなるように選定される。
【００１５】
入力ｂ＊(ＴＩＡ＿ＯＵＴ)、及びＲＥＦ＿ＴＩＡ＿ＯＵＴに応答し、且つ、第１のＴＩＡ２０２によって受信された複数の入力パルスに応答し、電流最適化論理回路２１４は、一連のデジタル電流値を出力する。例えば、一実施形態において、電流最適化論理回路２１４は、信号ｂ＊（ＴＩＡ＿ＯＵＴ）、及びＲＥＦ＿ＴＩＡ＿ＯＵＴを受信し、それらを比較する比較器２１６を含む。次に、比較器２１６の出力（ＣＯＵＮＴ）はカウンタ２１８に渡される。基準信号（ＲＥＦ＿ＴＩＡ＿ＯＵＴ）が、信号ｂ＊（ＴＩＡ＿ＯＵＴ）未満である場合、ＣＯＵＮＴ信号がアサートされる。ＣＯＵＮＴ信号がアサートされている間、比較器２０６のパルスに応答して、カウンタ２１８の値がインクリメントされる。
【００１６】
図面では、電流最適化論理回路２１４が、信号ｂ＊（ＴＩＡ＿ＯＵＴ）とＲＥＦ＿ＴＩＡ＿ＯＵＴを比較するものとして描かれているが、代替として、電流最適化論理回路２１４は、信号ＲＥＦ＿ＴＩＡ＿ＯＵＴを第１のＴＩＡ２０２の一次（通常）出力と比較してもよい。その場合、信号比較を行う前に、電流最適化論理回路２１４は、信号ＴＩＡ＿ＯＵＴの一部を計算するか、又は複数の信号ＲＥＦ＿ＴＩＡ＿ＯＵＴを計算する場合がある。
【００１７】
カウンタ２１８の値は、一連のＮビットデジタル電流値として電流プログラム論理回路２２０に出力される。電流プログラム論理回路２２０は、所定の条件が満たされるまで、前記一連のデジタル電流値のうちの幾つかを使用してプログラマブル電流源２１２をプログラムする。図示のように、これは一連のデジタル電流値をマルチプレクサ２２２の一方の入力に供給し、更に、それらの値をマルチプレクサ２２２を介してプログラマブル電流源２１２に渡すことによって達成される。
【００１８】
また、カウンタ２１８の値は、ワンタイム・プログラマブル（ＯＴＰ）論理回路２２４にも供給される。前記所定の条件が満たされるまで、カウンタ２１８の値がＯＴＰ論理回路２２４に書き込まれることはなく、ＯＴＰ論理回路２２４は、マルチプレクサ２２２をカウンタ２１６から受信した一連のデジタル電流値を出力するように設定する。ただし、前記所定の条件が満たされると、カウンタ２１８の最新の値がＯＴＰ論理回路２２４に記憶（例えば、ラッチ）され、ＯＴＰ論理回路２２４のロックビットがセットされる。ロックビットのセットに応答して、マルチプレクサ２２２は、ＯＴＰ論理回路２２４に記憶されたＮビットカウントを出力する。このようにして、プログラマブル電流源２１２の状態がロック（すなわち、固定）される。
【００１９】
一実施形態において、前記ＯＴＰ論理回路２２４を作動させるための前記所定の条件は、ＣＯＵＮＴ（比較器２１６の出力）が降下するよりも、すなわちデアサートされるよりも早く、ＤＡＴＡ＿ＯＵＴ（比較器２０６の出力）が降下する、すなわちデアサートされることである。これらの信号の複雑なタイミングは、論理回路２２６によって判定される。
【００２０】
他の実施形態において、ＯＴＰ論理回路２２４を作動させるための前記所定の条件は、信号ｂ＊（ＴＩＡ＿ＯＵＴ）を上回る基準信号（ＲＥＦ＿ＴＩＡ＿ＯＵＴ）の生成である。更に他の実施形態において、ＯＴＰ論理回路２２４を作動させる前記所定の条件は、ＤＡＴＡ＿ＯＵＴのパルスカウントのような所定のカウントである。最後のケースの場合、論理回路２２６は、第２のカウンタ（すなわち、ＤＡＴＡ＿ＯＵＴのパルスに応答してインクリメントされるカウンタ）を含む場合がある。通常、どのような場合であっても、ＤＡＴＡ＿ＯＵＴのパルスカウントは、基準信号（ＲＥＦ＿ＴＩＡ＿ＯＵＴ）をｂ＊（ＴＩＡ＿ＯＵＴ）まで上昇させることができない場合に、プログラマブル電流源２１２を「達成可能な最良の電流値」にロックすることができるように維持しなければならない。ただし、カウンタ２１８の範囲、及びプログラマブル電流源２１２の範囲は、基準信号（ＲＥＦ＿ＴＩＡ＿ＯＵＴ）をｂ＊（ＴＩＡ＿ＯＵＴ）まで常に上昇させることができるように選定することが望ましい。
【００２１】
図３、及び図４は、回路２００の電流最適化論理回路２１４、及び電流プログラム論理回路２２０（図２）の動作例を示している。図４に示すフロー図４００によれば、回路２００の電源投入時に、ＯＴＰ論理回路２２４に記憶されたロックビットの値をチェックする（４０２）。ロックビットがセットされている場合（すなわち、ＬＯＣＫ＝１）、ＯＴＰ論理回路２２４に記憶されたＮビット値を出力（４０４）し、それに応答して電流値Ｉ２をプログラムする。一方、ロックビットがセットされていない場合（すなわち、ＬＯＣＫ＝０）、第１のＴＩＡ２０２は、入力パルスを待つ（４０６）。
【００２２】
入力パルスの受信時に、ＯＴＰ論理回路２２４のロックビットがセットされていない場合、所定の条件が満たされているか否かを判定する（４０８）（例えば、論理回路２２６によって）。所定の条件が満たされている場合、回路２００は、比較器２１６により、ｂ＊（ＴＩＡ＿ＯＵＴ）がＲＥＦ＿ＴＩＡ＿ＯＵＴよりも大きいか否かを判定する。ｂ＊（ＴＩＡ＿ＯＵＴ）がＲＥＦ＿ＴＩＡ＿ＯＵＴよりも大きい場合、比較器２１６の出力をアサートし（ＣＯＵＮＴ＝１）、カウンタ２１８の値をインクリメントする（４１２）。そして、その結果、プログラマブル限界基準電流の値が増加し、基準信号（ＲＥＦ＿ＴＩＡ＿ＯＵＴ）の値が増加する。
【００２３】
図３に示すように、回路２００は製造時に、いかなる条件においても基準信号（ＲＥＦ＿ＴＩＡ＿ＯＵＴ）の値がｂ＊（ＴＩＡ＿ＯＵＴ）より小さくなるように構成される。この基準信号の初期値は、「ベース」電流源２１０によってセットされ、回路２００が受ける可能性があるいかなるプロセス変動やアセンブリ変動にも無関係に、基準信号（ＲＥＦ＿ＴＩＡ＿ＯＵＴ）がｂ＊（ＴＩＡ＿ＯＵＴ）より小さくなるように設定される。
【００２４】
図３に矢印３００で示すように、カウンタ２１８の値をインクリメントし、基準信号（ＲＥＦ＿ＴＩＡ＿ＯＵＴ）の値をｂ＊（ＴＩＡ＿ＯＵＴ）の値に向けてインクリメントする。ＲＥＦ＿ＴＩＡ＿ＯＵＴの値が、ｂ＊（ＴＩＡ＿ＯＵＴ）の値を超えると直ぐに、比較器２１６の出力はデアサートされ（ＣＯＵＮＴ＝０）、カウンタ２１８の値はもはやインクリメントされなくなる（４１２）。そして、所定の条件４０８が満たされたとき、カウンタ２１８の最新の値を使用して、ＯＴＰ論理回路２２４をプログラムし（４１４）、ＯＴＰ論理回路２２４のロックビットをセットする（すなわち、ＬＯＣＫ＝１）。前述のとおり、ＯＴＰ論理回路２２４を作動させる前記所定の条件は、例えば、ＲＥＦ＿ＴＩＡ＿ＯＵＴの値がｂ＊（ＴＩＡ＿ＯＵＴ）の値を上回ること、すなわち第１のＴＩＡ２０２の出力パルスのカウントが所定数になることである（例えば、２Ｎ−１パルス、このパルス数によれば、Ｎビットカウンタ２１８が飽和する可能性がある）。
【００２５】
電流最適化論理回路２１４、プログラマブル電流源２１２、及び電流プログラム論理回路２２０は全て、光カプラ回路２００の他の要素とともに、共通の半導体基板上に形成することが望ましい。
【００２６】
場合によっては、光カプラ回路２００はまず、制御された環境下で作動され、一連の制御された光パルスが(i)フォトセンサに与えられる場合がある。他のケースとして、光カプラ回路２００はまず、その場で作動される場合がある。いずれの場合も、回路２１２、２１４、及び２２０は、外部Ｉ／Ｏを必要とせずに、最適化された限界基準電流を生成することができる。
【００２７】
方法１００、又は回路２００を使用して光カプラの限界基準電流を最適化することにより、光カプラ出力（すなわち、ＤＡＴＡ  ＯＵＴ）のパルス幅歪みを最小限に抑えることができる。
【００２８】
本発明の種々の例示的実施形態を以下に列挙する。
１．第１のトランスインピーダンス増幅器（ＴＩＡ）によって受信された複数の入力パルスに応答し、(i)前記第１のＴＩＡの出力に関連する信号を(ii)前記第１のＴＩＡの出力と比較するための基準信号と比較した結果に応答して、一連のデジタル電流値を生成する電流最適化論理回路と、
限界基準電流を生成するプログラマブル電流源と、
(i)所定の条件が満たされるまで、前記一連のデジタル電流値のうちの幾つかを使用して、前記プログラマブル電流源をプログラムした後、(ii)前記プログラマブル電流源を前記デジタル電流値のうちの最新の値にロックするプログラム論理回路と、
前記プログラマブル電流源によって生成された前記限界基準電流に応答し、前記基準信号を生成する第２のＴＩＡと
からなる装置。
２．前記第１のＴＩＡはフィードバック抵抗器を含み、前記第１のＴＩＡの出力に関連する信号は、前記フィードバック抵抗器のタップから導出される信号である、１に記載の装置。
３．前記第１のＴＩＡの出力に関連する信号は、前記第１のＴＩＡの一次出力である、１に記載の装置。
４．前記電流最適化論理回路は、
前記複数の入力パルスに応答し、(i)前記第１のＴＩＡの出力に関連する信号を(ii)前記基準信号と比較する第１の比較器と、
前記第１のＴＩＡの出力パルスに応答してインクリメントされる第１のカウンタとを含み、前記第１のカウンタの値から前記一連のデジタル電流値が生成される、１に記載の装置。
５．前記第１のＴＩＡの出力パルスに応答してインクリメントされる第２のカウンタを更に含み、前記所定の条件は、前記第２のカウンタの所定のカウントである、４に記載の装置。
６．(i)前記第１のＴＩＡの出力、及び(ii)前記基準信号を受信する第２の比較器を更に含む、４に記載の装置。
７．前記第２の比較器の出力が前記第１の比較器の出力よりも早くデアサートされた場合に前記所定の条件を生成する論理回路を更に含む、６に記載の装置。
８．前記電流プログラム論理回路は、前記プログラマブル電流源をロックするためのデジタル電流値を記憶するワンタイム・プログラマブル論理回路を更に含む、４に記載の装置。
９．前記電流最適化論理回路はカウンタを含み、前記所定の条件は、前記カウンタの所定のカウントである、１に記載の装置。
１０．前記カウンタは、前記第１のＴＩＡの出力パルスに応答してインクリメントされる、９に記載の装置。
１１．前記電流プログラム論理回路は、前記プログラマブル電流源をロックするためのデジタル電流値を記憶するワンタイム・プログラマブル論理回路を更に含む、１に記載の装置。
１２．前記電流最適化論理回路、前記プログラマブル電流源、及び前記電流プログラム論理回路を形成するための共通の半導体基板を更に含む、１に記載の装置。
１３．前記第１のＴＩＡの入力に接続されたフォトセンサを更に含む、１に記載の装置。
１４．光カプラの限界基準電流を最適化する方法であって、
前記光カプラのトランスインピーダンス増幅器（ＴＩＡ）によって受信された複数の入力パルスに応答し、(i)前記ＴＩＡの出力に関連する信号を(ii)前記ＴＩＡの出力と比較するための基準信号と比較した結果に応答して、一連のデジタル電流値を生成するステップと、
所定の条件が満たされるまで、前記一連のデジタル電流値のうちの幾つかを使用して、限界基準電流を生成するためのプログラマブル電流源をプログラムするステップと、
前記所定の条件が満たされた後、前記プログラマブル電流源を前記デジタル電流値のうちの最新の値にロックするステップと、
前記プログラマブル電流源によって生成された前記限界基準電流に応答し、前記基準信号を生成するステップと
からなる方法。
１５．前記ＴＩＡのフィードバック抵抗器のタップから、前記ＴＩＡの出力に関連する信号を導出するステップを更に含む、１４に記載の方法。
１６．前記一連のデジタル電流値は、
前記複数の入力パルスに応答して、(i)前記ＴＩＡの出力に関連する信号を(ii)前記基準信号と比較し、
前記比較の結果が所定の結果になることに応答してカウントをインクリメントし、該カウントの値から前記一連のデジタル電流値を生成することによって生成される、１４に記載の方法。
１７．前記ＴＩＡの出力パルスをカウントするステップと、
前記出力パルスの所定のカウントに応答して前記所定の条件を生成するステップと
を更に含む、１４に記載の方法。
１８．前記プログラマブル電流値をロックするためのデジタル電流値をワンタイム・プログラマブル論理回路に記憶するステップを更に含む、１４に記載の方法。
【図面の簡単な説明】
【００２９】
【図１】光カプラの限界基準電流を最適化する方法の一例を示す図である。
【図２】図１の方法を実施することが可能な光カプラ回路の一実施形態を示す図である。
【図３】図２の光カプラの出力（ＴＩＡ＿ＯＵＴ）を比較するための比較対象となる基準信号（ＲＥＦ＿ＴＩＡ＿ＯＵＴ）の最適化（最適化前後の光カプラの限界基準電流を両方）を示す図である。
【図４】図２の光カプラの電流最適化論理回路、及び電流プログラム論理回路の動作例を示す図である。
【符号の説明】
【００３０】
２００  回路
２０２、２０４  トランスインピーダンス増幅器（ＴＩＡ）
２１２  プログラマブル電流源
２１４  電流最適化回路
２１６  比較器
２１８、２２６  カウンタ
２２４  ワンタイム・プログラマブル論理回路
２２０  電流プログラム論理回路（２２０）
【図１】
2007134708.tif 000003
【図２】
2007134708.tif 000004
【図３】
2007134708.tif 000005
【図４】
2007134708.tif 000006